(57)【特許請求の範囲】
【請求項１】
生体の内部の所定経路を移動すると共に前記所定経路における所定部位を検査し且つ検査した前記所定部位の情報を検査機アンテナを介して生体外部に送信する検査機と、前記所定部位に対応する前記生体の外部に配置されると共に前記検査機からの前記所定部位の情報を含む信号を受信する体外アンテナを有する体外ユニットとを備え、
前記体外ユニットは、電源制御部と、前記所定部位に対応する前記生体の外部又は前記所定経路における前記所定部位の手前に対応する前記生体の外部に配置される電源制御アンテナとを有し、
前記電源制御部は、任意の時間間隔で前記電源制御アンテナを介して前記検査機の電源オン信号を送信し、
前記検査機は、前記電源制御部からの前記電源オン信号を受信した後、前記検査機の電源をオンにする電源スイッチを有する生体検査システム。
【請求項２】
前記電源スイッチの動作は磁気を検知することにより為される請求項１に記載の生体検査システム。
【請求項３】
前記電源制御アンテナは、Ｘ軸方向に磁気ダイポールを有するＸ軸アンテナと、Ｙ軸方向に磁気ダイポールを有するＹ軸アンテナと、Ｚ軸方向に磁気ダイポールを有するＺ軸アンテナとを有する請求項１に記載の生体検査システム。
【請求項４】
前記検査機の電源がオンされた場合、前記電源制御部は前記電源オン信号の送信を止める請求項１に記載の生体検査システム。
【請求項５】
前記体外ユニットは前記体外アンテナが受信した前記検査機からの情報を処理する信号受信部を有し、この信号受信部は前記電源制御部が前記電源制御アンテナを介して電源オン信号を送信した場合に前記検査機からの情報到来の有無を確認する請求項１に記載の生体検査システム。
【請求項６】
前記検査機の電源がオンされて以降、前記電源スイッチは電源オンの状態を保つ請求項１に記載の生体検査システム。
【請求項７】
前記電源制御アンテナは前記体外アンテナとしても使用される請求項１に記載の生体検査システム。
【請求項８】
前記Ｘ軸アンテナと前記Ｙ軸アンテナと前記Ｚ軸アンテナは異なるタイミングで電源オン信号を送信する請求項３に記載の生体検査システム。
【請求項９】
前記電源制御アンテナは前記Ｘ軸アンテナと前記Ｙ軸アンテナと前記Ｚ軸アンテナを切り替えるアンテナ切替えスイッチと、このアンテナ切り替えスイッチに接続された電位判定部とを有し、前記アンテナ切替えスイッチの制御は、前記電源制御部から送信される電源オン信号の電位を前記電位判定部が判定することにより行う請求項８に記載の生体検査システム。
【請求項１０】
前記電源スイッチが磁気センサにより構成されると共に、前記磁気センサの磁気検知感度の最大となる軸方向と前記検査機アンテナが有する磁気ダイポールの向きが異なる請求項１に記載の生体検査システム。
【請求項１１】
前記電源制御アンテナはループアンテナにより構成された請求項１に記載の生体検査システム。
【請求項１２】
前記電源制御アンテナはループアンテナにより構成されると共に、前記電源制御アンテナにフロートバランが取り付けられた請求項７に記載の生体検査システム。
【請求項１３】
前記検査機の電源がオンになった後、前記電源制御部より電源オフ信号が送信され、前記検査機が電源オフ信号を受信した後、前記電源スイッチが前記検査機の電源をオフにする請求項１に記載の生体検査システム。
【請求項１４】
前記検査機の電源がオフになった後、前記電源制御部より電源オン信号が送信され、電源オン信号を受信した後、前記電源スイッチが前記検査機の電源をオンにする請求項１３に記載の生体検査システム。
【発明の詳細な説明】
【技術分野】
【０００１】
本発明は、生体内に留置される検査機と、この検査機から送信される生体情報を受信する体外ユニットとを有する生体検査システムに関するものである。
【背景技術】
【０００２】
従来、生体内の温度やｐＨ値等の物理量の長時間にわたる測定や観察を行うために、センサと小型発信器とを備え、生体内に留置されて生体内の生体情報を無線によって体外に伝送する検査機と、その無線信号を受信する体外ユニットとを有する生体検査システムが知られている。
【０００３】
以下、従来の生体検査システムについて説明する。
【０００４】
従来の検査機及び体外ユニットのブロック図を図１４に示す。図１４において、生体検査システム１００は患者の口部から飲み込まれる事により生体内に挿入されるカプセル状の内視鏡である検査機１０１と、体外、例えばベルトなどにより患者の体表面付近に設置され、検査機１0１により得た生体情報を蓄積する体外ユニット１０２により構成される。検査機１０１はカプセル状容器１０３内部に照明を行う照明素子１０４と、この照明素子１０４で照明された生体内を撮像する撮像素子１０５と、照明素子１０４及び撮像素子１０５の駆動や撮像された信号に対する信号処理を行う制御回路１０６と、制御回路１０６により生成された画像信号を無線で外部に送信すると共に外部からの信号を受信する無線回路１０７と、これら照明素子１０４、撮像素子１０５、制御回路１０６、及び無線回路１０７に動作電力を供給する電池１０８とが内蔵されている。なお、無線回路１０７はアンテナも備えている。
【０００５】
一方、体外ユニット１０２は、検査機１０１と無線による通信状態を保持する無線部１０９と、その他の制御動作等を行う制御部１１０と、無線部１０９及び制御部１１０に電力供給を行う電力供給部１１１とからなる。無線部１０９は、検査機１０１の無線回路１０７と通信を行う無線回路１１２及び無線で電波の放射及び受信を行うアンテナ１１３と、無線回路１１２を検査機１０１が撮影を行わない状態であっても検査機１０１側の無線回路１０７と通信状態を保持するように制御する無線制御回路１１４とを有する。制御部１１０は、無線制御回路１１４と接続され、全体を制御する制御回路１１５と、この制御回路１１５に接続された画像データなどを記憶するメモリ１１６と、外部装置と接続する外部インタフェース１１７と、体外ユニット１０２の状態等の表示を行う表示装置１１８と、タイマ起動操作を行うトリガボタン１１９と、時間計測するリアルタイムクロック（ＲＴＣと略記）１２０と、患者のデータ等の設定データを保持するＳＲＡＭ１２１と、ＲＴＣ１２０及びＳＲＡＭ１２１を常時動作状態に電源を供給する保守電源１２２とを有する。設定データは、保守電源１２２付きのＳＲＡＭ１２１に格納されているので、制御部１１０への電源がＯＦＦにされても、設定データが消滅することなく、保持される。保守電源１２２はＲＴＣ１２０にも常時動作に必要な電力を供給するようにしている。このＲＴＣ１２０は設定された時間が経過した場合にその時間経過を知らせるアラーム出力を有するタイマ回路を内蔵しており、タイマ回路の設定は、外部パソコンより外部インターフェース１１７を介してＳＲＡＭ１２１にタイムスケジュールデータが入力されることで為される。電力供給部１１１は、電力を供給するバッテリ１２３を有し、このバッテリ１２３は電力供給のＯＮ／ＯＦＦを行う電源スイッチ（メインスイッチ）１２４を介して制御部１１０への電力供給の制御を行う電源制御回路１２５に電力を供給すると共に、無線部１０９にも電力を供給するようにしている。この電源制御回路１２５は、バッテリ１２３に接続された電源スイッチ１２４に直列に接続されたリレー１２６のＯＮ／ＯＦＦを制御することにより、このリレー１２６を経て制御部１１０に供給されるバッテリ１２３からの電力の供給／遮断を制御する。制御部１１０は、画像取得を行わない状態では、その電源がＯＦＦとなるように電力供給部１１１の電源制御回路１２５が制御することにより、バッテリ１２３による駆動時間を長く行えるようにしている。
【０００６】
従来の検査機１０１及び体外ユニット１０２の動作の流れは、まず、外部パソコンからタイムスケジュール時間をＳＲＡＭ１２１に入力し、ＲＴＣ１２０のタイマ回路の設定を行う。次に、検査機１０１と体外ユニット１０２の通信を確立した後、トリガボタン１１９を押し、検査機１０１を患者は嚥下する。トリガボタン１１９を押した際に、ＲＴＣ１２０に設定のタイマがスタートする。この状態では、電源制御回路１２５はＲＴＣ１２０のタイマ出力を受け、リレー１２６をＯＦＦにして制御部１１０への電力供給を遮断する。次に、ＲＴＣ１２０は撮影開始までの時間が経過したかの判断を行い、その時間の経過を待ち、その時間経過後にアラーム出力を電源制御回路１２５に出す。そして、電源制御回路１２５はリレー１２６をＯＮにして制御部１１０に電力が供給される状態にする。また、ＲＴＣ１２０は制御回路１１５に撮影開始までの時間が経過したことを知らせ、制御回路１１５は撮影要求を無線部１０９を介して検査機１０１に送信する。検査機１０１はこの信号を受けて制御回路１０６は照明素子１０４及び撮像素子１０５を動作状態に設定する。そして照明素子１０４はその内部のＬＥＤを点灯して、患者の生体内を照明し、その照明された生体内を撮像素子１０５で撮像し、制御回路１０６で信号処理し、無線回路１０７を経て無線で外部の体外ユニット１０２に撮像した画像データを送信する。
【０００７】
これにより、従来の生体検査システム１００は、検査対象とされる部位にカプセル内視鏡が到着してから撮影を開始し、不要な生体内の撮影を無くす事ができる。
【０００８】
なお、この出願の発明に関連する先行技術文献情報としては、例えば、特許文献１が知られている。
【特許文献１】特開２００５−２８８１８４号公報
【発明の開示】
【発明が解決しようとする課題】
【０００９】
しかし、従来の検査機１０１及び体外ユニット１０２は、一定時間経過後に検査機に生体内の検査を開始させるために、体外ユニット１０２にはＳＲＡＭやタイマ回路を有したリモートタイマクロック等が、検査機１０１には受信用ＲＦ回路が新たに必要となり、検査機１０１が複雑になるという問題があった。
【００１０】
そこで本発明の生体検査システムは、簡易な構成で検査機の不要な生体内の撮影を無くし、体外ユニットや検査機を簡略化することを目的とする。
【課題を解決するための手段】
【００１１】
上記目的を達成するために、本発明の生体検査システムは、生体の内部の所定経路を移動すると共に前記所定経路における所定部位を検査し且つ検査した前記所定部位の情報を検査機アンテナを介して生体外部に送信する検査機と、前記所定部位に対応する前記生体の外部に配置されると共に前記検査機からの前記所定部位の情報を含む信号を受信する体外アンテナを有する体外ユニットとを備える。そして、前記体外ユニットは、電源制御部と、前記所定部位に対応する前記生体の外部又は前記所定経路における前記所定部位の手前に対応する前記生体の外部に配置される電源制御アンテナとを有する。さらに、前記電源制御部は任意の時間間隔で前記電源制御アンテナを介して前記検査機の電源オン信号を送信し、前記検査機は、前記電源制御部からの前記電源オン信号を受信した後、前記検査機の電源をオンにする電源スイッチを有する。
【発明の効果】
【００１２】
以上の生体検査システムを用いる事により、簡易なシステム構成で、所定検査部位に至るまでの検査機動作を停止させる事ができ、所定検査部位のみの生体情報を得る事ができると共に、検査機の電池寿命を延ばすことができる。
【発明を実施するための最良の形態】
【００１３】
（実施の形態１）
図１は、本発明の検査機のブロック図である。図１において、検査機１はカプセル状の形状を有しており、人が飲み込む事が容易な形状となっている。当該検査機１内の電源スイッチ２は、その内部に磁気センサ３を有し、当該磁気センサ３は後述する生体外に配置された電源制御アンテナが発生する磁気を検知する役割を担っている。電源スイッチ２は、磁気センサ３が検知した磁界強度が所定値以上のものとなったとき、それまで電池４より供給されていた電力を、生体センサ５、生体情報処理部６、及びＲＦ送信機７にも供給する。これにより、検査機１は、生体情報を取得し、当該情報を生体外へ無線送信する動作を開始する。その具体的な流れとしては、まず、生体センサ５が検査機１が留置された周囲の生体情報を取得する。例えば、生体内部の映像を撮影する事やｐＨの数値を取得する事等が考えられる。生体センサ５が取得した生体情報は生体情報処理部６へ送られ、デジタルデータに変換された後、ＲＦ送信機７へ送られる。ＲＦ送信機７では、生体情報データを生体外へ無線送信するために、デジタルデータを高周波信号へ変換し、検査機アンテナ８を介して当該高周波信号を無線送信することとなる。尚、図１には便宜上図示されていないが、検査機１は、全体の動作を制御する制御ＩＣ等を有している。この制御ＩＣは、上記の検査機１の動作の全体制御を行っており、一定間隔で検査機１の動作が為されるように各ブロックに命令を出している。
【００１４】
また、図１においては、電源スイッチ２の動作を生体外からの磁界により制御したが、磁界の替わりに光を用いてもよい。この場合には、磁気センサ３を光センサに置き換える必要がある。
【００１５】
図２は、体外ユニットを装着したときの外観図である。図２において、体外ユニットは電源制御アンテナ９と複数の体外アンテナ１０とシステム制御ユニット１１、及び、それらを結ぶ同軸ケーブル１２により構成される。電源制御アンテナ９および体外アンテナ１０は、検査機アンテナ８との間の伝搬損をできるだけ少なくするために、直接、体に貼り付ける構成となっている。
【００１６】
図３は、システム制御ユニット１１の内部のブロック図を示している。図３において、システム制御ユニット１１は、電源制御アンテナ９を介して検査機１に電源オン信号を送信する電源制御部１３と、検査機１から体外アンテナ１０を介して受信した無線信号を復調し、生体情報を復元する信号受信部１４と、信号受信部１４において復元された生体情報を記録するメモリ１５と、体外アンテナ１０と信号受信部１４との間に接続され、最適な体外アンテナ１０を選択し、当該体外アンテナ１０が受信した高周波信号を信号受信部１４へ送る体外アンテナスイッチ部１６と、システム制御ユニット１１の各ブロックを全体制御するために、各ブロックへ制御信号を送るシステム制御部１７と、システム制御ユニット１１の各ブロックへ電力を供給する電池１８により構成されている。
【００１７】
システム制御ユニット１１の動作を以下説明する。まず、システム制御ユニット１１は、電源制御部１３から検査機１の動作を開始させるための電源オン信号を電源制御アンテナ９へ送信する。その後、システム制御ユニット１１は、検査機１から生体情報が無線信号により送られてきているかどうかを複数の体外アンテナ１０の受信状態で確認する。検査機１からの無線信号が受信されない場合には、システム制御ユニット１１は、一定時間経過後、再度、電源制御部１３から電源オン信号を送信することとなる。もし、検査機１からの無線信号の受信が確認された場合、それ以後は電源制御部１３から電源オン信号は送信されず、検査機１による生体内の検査が開始される事となる。
【００１８】
図４〜図６に、電源制御アンテナ９及び体外アンテナ１０の配置の一例を示す。
【００１９】
図４は、小腸を検査対象とした場合の電源制御アンテナ９及び体外アンテナ１０の配置の一例である。電源制御アンテナ９は小腸の手前の消化管である十二指腸上に配置されると共に、４つの体外アンテナ１０は小腸を全体的にカバーするように配置されている。検査機１は、口から飲み込まれた後、食道、胃を通過し十二指腸に到達したところで、電源制御アンテナ９から定期的に発生される磁界を検知し、動作を開始する事となる。このため、検査機１が口より飲み込まれた後、十二指腸に到達するまでの約２時間の間、不要な生体情報の取得のために動作する事を回避する事ができ、無駄に検査機１内の電池を消耗する事を防止できる。
【００２０】
図５は、大腸を検査対象とした場合の電源制御アンテナ９及び体外アンテナ１０の配置の一例である。電源制御アンテナ９は大腸の手前の消化管である小腸の出口付近上に配置されると共に、８つの体外アンテナ１０は大腸を全体的にカバーするように配置されている。検査機１は、口から飲み込まれた後、食道、胃、十二指腸を通過し、小腸出口に到達したところで、電源制御アンテナ９から定期的に発生される磁界を検知し、動作を開始する事となる。このため、検査機１が口より飲み込まれた後、小腸出口に到達するまでの約６時間の間、不要な生体情報の取得のために動作する事を回避する事ができ、無駄に検査機１内の電池を消耗する事を防止できる。
【００２１】
尚、図４、図５の実施の形態において、検査機１が動作を開始した後、検査機１が取得した生体情報の分析結果を基に、再度、検査機１の動作を停止させてもよい。例えば、検査機１が取得する生体内の画像から生体の色を解析し、当該色が検査対象の生体の色で無い場合には、検査機１の動作を停止させるといったものである。又、多数の体外アンテナ１０が受信する検査機１からの無線信号の受信電力値から検査機１の生体内位置を推定し、この位置が検査対象部位から遠く離れている場合には検査機１の動作を停止させてもよい。
【００２２】
これらの場合、電源制御部１３から電源オフ信号を、電源制御アンテナ９を介して検査機１に送信し、検査機１の動作を停止させる。ここで、電源オフ信号も電源オン信号も電源制御アンテナ９が作り出す磁界であり、例えば、検査機１の磁気センサ３が一定値以上の磁界を検出する度に、電源スイッチ２における電源供給のオン、オフを交互に繰り返す仕組みにしておけばよい。
【００２３】
図６には、複数の電源制御アンテナ９を用いた場合を示す。図６は、小腸と大腸の一部である下行結腸を検査対象とした場合の電源制御アンテナ９及び体外アンテナ１０の配置の一例である。第１電源制御アンテナ１９は小腸の手前の消化管である十二指腸上に配置されると共に、４つの体外アンテナ１０は小腸を全体的にカバーするように配置される。第２電源制御アンテナ２０は、大腸の入り口付近上に配置されると共に、第３電源制御アンテナ２１は横行結腸出口付近上に配置され、３つの体外アンテナ１０が下行結腸を全体的にカバーするように配置される。
【００２４】
検査機１は、口から飲み込まれた後、食道、胃を通過し、十二指腸に到達したところで、第１電源制御アンテナ１９から定期的に発生される磁界を検知し、動作を開始する事となる。その後、検査機１は小腸において生体情報を取得した後、大腸入り口に到達する。そこで、第２電源制御アンテナ２０から定期的に発生される磁界を検知し、検査機１はその動作を停止させる。その後、検査機１が横行結腸出口に到達し、第３電源制御アンテナ２１が発生する磁界を検知すると、再び、その動作を開始し、下行結腸内の生体情報の取得を行う事となる。このように、検査機が検査対象の部位の周囲のみで生体情報の取得を行うため、検査機１内の電池４の無駄な消費をさらに低減できる。
【００２５】
尚、第２電源制御アンテナ２０に電源オフ信号を送信するタイミングは、小腸上に配置された４つ体外アンテナ１０の受信電力から推定された検査機１の生体内位置を基に判断される。これにより、電源オフ信号を無駄に送信することによる電力ロスを防止できる。更に、第３電源制御アンテナ２１に電源オン信号を送信するタイミングは、第２電源制御アンテナ２０が生じる磁界を検知し検査機１が生体情報の無線信号を送信しなくなったのを信号受信部１４が確認した一定時間経過後となる。このようなシステム制御を行う事により、電池１８の消耗を低減出来る。
【００２６】
図７に、電源制御アンテナ９の一例を示す。図７の電源制御アンテナは、高周波基板２２と、その周囲に磁界を発生させる３つのループアンテナ２３，２４，２５と、それらのループアンテナ２３，２４，２５と同軸ケーブル１２を結ぶ電源制御アンテナ回路部２６により構成されている。
【００２７】
第１ループアンテナ２３は、高周波基板２２上に形成された銅箔パターンで実現されており、Ｚ軸方向に磁気ダイポールを有する。第２ループアンテナ２４は、導体板をロール状に折り曲げる事により実現されており、Ｘ軸方向に磁気ダイポールを有する。第３ループアンテナ２５についても同様に、導体板をロール状に折り曲げる事により実現されており、Ｙ軸方向に磁気ダイポールを有する。なお、第１ループアンテナ、第２ループアンテナ、及び第３ループアンテナは、それぞれ請求の範囲の「Ｚ軸アンテナ」、「Ｘ軸アンテナ」、「Ｙ軸アンテナ」を指す。このように、３つのループアンテナ２３，２４，２５が有する磁気ダイポールの向きを３軸方向に直交させ、電源制御アンテナ回路部２６により３つのループアンテナ２３，２４，２５が磁界を発生させるタイミングをずらす事により、全立体角方向に磁界を発生させる事が可能となる。これにより、生体内の検査機１の向きにより、電源制御アンテナ９が発生する磁界を検査機１が検知できなくなる事を抑制することができる。
【００２８】
尚、図７においては、３つのアンテナ２３，２４，２５により磁気を発生させたが、小型化を優先し、１つのアンテナのみで電源制御アンテナ９を実現してもよい。また、図７は、磁界により検査機１の動作を制御する事を前提にした電源制御アンテナ９の構成を説明したが、光を用いて検査機１の動作を制御する場合には、電源制御アンテナ９はＬＥＤなどの発光素子により具現化される。
【００２９】
図８から図１３において、電源制御アンテナ及び本発明の生体検査システムの動作ステップを詳細に説明する。
【００３０】
図８は、電源制御アンテナ９のブロック図を示している。図８における第１ループアンテナ２３、第２ループアンテナ２４、第３ループアンテナ２５の選択は、電源制御アンテナスイッチ２７により行われる事となる。当該電源制御アンテナスイッチ２７の制御は、電源制御部１３から送信される電源オン信号又は電源オフ信号の電圧値により為される。電源制御部１３から送信された電源オン信号又は電源オフ信号の一部は電圧判定部２８に送られ、そこで、電圧値が検波される。この電圧値により、電源制御アンテナスイッチ２７は選択すべきループアンテナを認識することとなる。図９にその様子を示すが、例えば、電源制御アンテナスイッチ２７は、電源オン信号又は電源オフ信号の電圧値がＶ１の場合は第１ループアンテナ２３を選択し、電圧値がＶ２の場合は第２ループアンテナ２４を選択し、電圧値がＶ３の場合は第３ループアンテナ２５を選択する。
【００３１】
電圧値Ｖ１の電源オン信号を送信した後、電圧値Ｖ２の電源オン信号を送信するまで一定時間空けられているが、これは、電源オン信号により電源制御アンテナから生じる磁界により検査機１が動作を開始し、当該検査機１からの高周波信号が体外アンテナ１０により受信できるか否かを判断するためである。検査機１からの高周波信号が検出された場合には、新たな電源オン信号の送信を停止するための制御信号がシステム制御部１７から電源制御部１３へ送信され、電源制御部１３は電源オン信号の送信を停止する。
【００３２】
それぞれのループアンテナ２３，２４，２５が発生させる磁界強度は、ループアンテナ２３，２４，２５に流れる電流量に比例するため、各ループアンテナ２３，２４，２５直下に取り付けられた電流調整抵抗２９によりその電流量を調整する。
【００３３】
図１０は、電源制御アンテナ９を体外アンテナ１０として兼用する場合の一例を示す。図１０において、電源制御部１３から送信された電源オン信号又は電源オフ信号は高周波信号遮断インダクタ３０を介して同軸ケーブル１２へ供給される。この電源オン信号又は電源オフ信号は直流カット用コンデンサ３１のために信号受信部１４には伝わらず、また、直接的に電源制御アンテナスイッチ２７へは供給されない。結果、電源オン信号又は電源オフ信号の大部分は、高周波信号遮断インダクタを介して電流調整抵抗２９へ供給され、それ以外の電源オン信号又は電源オフ信号は電圧判定部２８へ供給される事となる。電圧判定部２８では、電源オン信号又は電源オフ信号の電圧値を判定し、その値を基に電源制御アンテナスイッチ２７が所望のループアンテナを選択するようにアンテナ切替え制御信号を送る。各ループアンテナ２３，２４，２５に供給される磁界を発生させるための電流値は、電流調整抵抗２９により調整される。この電流調整抵抗２９は、図１０に示すように、高周波信号が通過する線路上には配置されないように工夫されており、これにより検査機１からの高周波信号の受信感度が劣化されない優位な効果が得られている。
【００３４】
各ループアンテナ２３，２４，２５直下にはフロートバラン３２が接続されており、検査機からの高周波信号を受信する際に、同軸ケーブル１２がアンテナとして動作しないように配慮されている。図１０の実施の形態において、フロートバラン３２を使用することにより、直流電流を各ループアンテナに供給する事が可能となる。
【００３５】
図１０に示すような体外ユニット構成とする事で、電源制御アンテナ９を体外アンテナ１０として兼用する事が可能となり、体外ユニットの高性能化を図る事が可能となる。
【００３６】
図１１にも、電源制御アンテナ９を体外アンテナ１０として兼用する場合の電源制御アンテナの一例を示す。図１１の電源制御アンテナと図１０の電源制御アンテナとの効用の違いは、各ループアンテナ２３，２４，２５が磁界を発生させる際に供給される電流値を各アンテナごとに調整可能となる点と、電源制御アンテナスイッチ２７の直下に取り付けられたローノイズアンプ３３のためにＮＦ特性が優れている点である。
【００３７】
各ループアンテナ２３，２４，２５が磁界を発生させる際に流れる電流値は、それぞれ第１電流調整抵抗３４、第２電流調整抵抗３５、第３電流調整抵抗３６により別個に調整する事が可能であり、各ループアンテナが発生する磁界強度を同様な値に設定でき、電源制御アンテナ９が配置された直下を検査機が通過する際に、検査機が動作を開始できるように最適設計する事が可能となる。
【００３８】
図１０及び図１１に示した電源制御アンテナの電源制御アンテナスイッチ２７を制御するための電源オン信号または電源オフ信号の一例を図１２に示す。図９に示したものと異なる点は、期間ｔ３、ｔ５、ｔ７において、電源制御アンテナスイッチ２７を動作させるために、電圧値がＶ４である点である。これは、第１ループアンテナ２３または第２ループアンテナ２４または第３ループアンテナ２５が受信する高周波信号が期間ｔ３、ｔ５、ｔ７の間に電源制御アンテナスイッチ２７を通過する可能性があるためである。さらに、Ｖ４の電圧値を電圧判定部２８が検知した場合には、直前に検査機１の動作開始させるための磁界を発生させたループアンテナが選択されるように電圧判定部２８から電源制御アンテナスイッチ２７に制御信号が送られる。また、同様に、ローノイズアンプ３３を動作させるための電源が期間ｔ３、ｔ５、ｔ７のみ供給される。
【００３９】
期間ｔ３、ｔ５、ｔ７の間に検査機からの高周波信号を信号受信部１４が検知した場合には、それ以降、電源オン信号又は電源オフ信号は電源制御部１３から送信されなくなる。尚、信号受信部１４で検査機１からの高周波信号の有無を確認するのは、期間ｔ３、ｔ５、ｔ７のみであるため、検査機１が動作を開始するまでは信号受信部１４の動作をその期間のみに限定すれば、体外ユニット内の電池１８が無駄に消費される事を防止する事ができる。
【００４０】
体外ユニットの動作を図１３に分かりやすく示した。電源オン信号３７が定期的（例えば、５分間隔）に電源制御部１３から送信されており、ある時、検査機が動作を開始し、体外アンテナにより当該検査機からの高周波信号を受信した後は、電源オン信号の送信は停止される。
【００４１】
尚、図１に示した検査機１が動作を開始し、生体情報を高周波信号に変換して検査機アンテナ８から当該高周波信号を送信する際、当該検査機アンテナ８がその近傍に大きな磁界を発生する事が予想される。この磁界を磁気センサ３が検知し、電源スイッチ２を誤動作させることも考えられる。よって、磁気センサ３の磁気検知感度の最大となる軸方向と前記検査機アンテナ８が有する磁気ダイポールの向きが平行とならないように（理想的には直交するように）配置する事で、電源スイッチ２の誤動作を回避することも有効な施策である。また、一度、磁気センサ３が磁気を検知し、電源スイッチ２が電池４の電力を各ブロックへ供給した後は、磁気センサ３が再度、磁気を検知しても、電源スイッチ２が電力の供給を停止しないようにしておくのも有効な施策である。
【産業上の利用可能性】
【００４２】
本発明の生体検査システムは、簡易なシステム構成で、所定検査部位に至るまでの検査機動作を停止させる事ができ、所定検査部位の生体情報を得る事ができると共に、検査機の電池寿命を延ばすことができる。このようなことから当該発明は、カプセル状検査機を人が飲む事で人体内部の生体情報を容易に取得できる小型なカプセル内視鏡等の医療機器に用いるのに最適である。
【図面の簡単な説明】
【００４３】
【図１】本発明の実施の形態１の生体検査システムにおける検査機のブロック図
【図２】同生体検査システムにおける体外ユニットの装着時外観図
【図３】同生体検査システムにおけるシステム制御ユニットのブロック図
【図４】同生体検査システムにおける電源制御アンテナ及び体外アンテナの人体上配置図
【図５】同生体検査システムにおける電源制御アンテナ及び体外アンテナの人体上配置図
【図６】同生体検査システムにおける電源制御アンテナ及び体外アンテナの人体上配置図
【図７】同生体検査システムにおける電源制御アンテナの外観図
【図８】同生体検査システムにおける電源制御アンテナのブロック図
【図９】電源オン信号又は電源オフ信号の様子を示す図
【図１０】同生体検査システムにおける電源制御アンテナのブロック図
【図１１】同生体検査システムにおける電源制御アンテナのブロック図
【図１２】電源オン信号又は電源オフ信号の様子を示す図
【図１３】同生体検査システムにおける体外ユニットの動作の様子を示す図
【図１４】従来の生体検査システムを示すブロック図
【符号の説明】
【００４４】
１  検査機
２  電源スイッチ
３  磁気センサ
４、１８  電池
５  生体センサ
６  生体情報処理部
７  ＲＦ送信機
８  検査機アンテナ
９  電源制御アンテナ
１０  体外アンテナ
１１  システム制御ユニット
１２  同軸ケーブル
１３  電源制御部
１４  信号受信部
１５  メモリ
１６  体外アンテナスイッチ部
１７  システム制御部
２７  電源制御アンテナスイッチ
２８  電圧判定部
３２  フロートバラン
３３  ローノイズアンプ
【図１】
0004848851.tif 000002
【図２】
0004848851.tif 000003
【図３】
0004848851.tif 000004
【図４】
0004848851.tif 000005
【図５】
0004848851.tif 000006
【図６】
0004848851.tif 000007
【図７】
0004848851.tif 000008
【図８】
0004848851.tif 000009
【図９】
0004848851.tif 000010
【図１０】
0004848851.tif 000011
【図１１】
0004848851.tif 000012
【図１２】
0004848851.tif 000013
【図１３】
0004848851.tif 000014
【図１４】
0004848851.tif 000015